(57)【要約】【構成】  ガラス挟持空間に使用するブラインドの開閉システムである。ブラインドの端部をそれぞれ固定上部ボックス４０および可動ボックス６０に固定する。固定ボックス４０および可動ボックス６０と、下部固定ボックス５０との間で相互作用する一対のコード８５，８６によってブラインドを開閉するさいに、並進を行う案内装置を設ける。使用する引っ張り装置については、可動ボックス６０に固定した永久磁石を有する小形ボックスおよび逆磁極の永久磁石を有する独立ノブで構成する。一方の窓ガラスを介して、ノブ内の磁石と可動ボックス６０に固定した永久磁石とを係合することによって、必要に応じて、ブラインドを開閉できる。
2005530073.tif 000002
【特許請求の範囲】
【請求項１】
二枚の窓ガラス１７、１８と、そして四つのコーナー片３０によって結合した上部部分２５、下部部分２６および二つの側部部分２７からなるフレーム体２０とを有するガラス挟持空間１０のブラインド１８０を開閉するシステムにおいて、
フレーム体２０の上部部分２５に固定した、上部ボックスである固定ボックス４０にブラインド１８０の一端を保持し、一方の窓ガラス１８に作用する引っ張り駆動装置１５０、１７０および案内装置８５−８８によって移動する可動ボックス６０に他端を保持し、ブラインド１８０の開閉時に可動ボックス６０を並進させることを特徴とするブラインド開閉システム。
【請求項２】
可動ボックス６０を引っ張り駆動する装置が、往復磁気吸引力を発生できる一対の第１手段１５０および第２手段１７０を有し、第１手段１５０を可動ボックス６０に固定し、第２手段を独立ノブ１７０で構成し、可動ボックス６０に固定した第１手段１５０に対して、ガラス挟持空間１０の一方の窓ガラス１８を介してノブ１７０を係合できるようにするとともに、可動ボックス６０を移動することによって、必要に応じて、ブラインド１８０を開閉できるように構成した請求項１記載のブラインド開閉システム。
【請求項３】
可動ボックス６０に固定した第１手段１５０を、可動ボックス６０の中心長手方向に挿入した小型の平行四辺形ボックスで構成し、長手方向ピン１６１を用いて、この小型のボックスのケージ１５５内において、二組の独立ローラ１６０間でかつ長さ方向に一つ以上の永久磁石１５２、１５３を並設し、そして永久磁石１５２、１５３の外面を通る幾何学的平面およびボックス６０の正面から長手方向ピン１６１をわずかに突出させ、第１手段１５０のガラス窓１８上のスライドを容易にした請求項１又は請求項２記載のブラインド開閉システム。
【請求項４】
上記各組において二つの平行ローラ１６０を使用し、これらローラの表面をわずかにアーチ形に構成し、窓ガラス１８との接触長さをごく短くした請求項３記載のブラインド開閉システム。
【請求項５】
第２手段１７０を構成するノブの形状を実質的に平行四辺形にし、ノブ１７０内長手方向に一つかそれ以上の永久磁石１７２、１７３を並設し、これら永久磁石１７２、１７３の磁極を第１手段１５０の永久磁石１５２、１５３に対して逆磁極にし、これら逆磁極をテフロン、ベルクロなどの薄い層１７７で被覆し、磁石１７２、１７３の窓ガラス１８上のスライドを容易にした請求項２記載のブラインド開閉システム。
【請求項６】
第１手段１５０の小型ボックスの底部およびノブ１７０の底部に金属板を取り付け、永久磁石（１５２、１５３）（１７２、１７３）を所定位置に保持した請求項３又は請求項５記載のブラインド開閉システム。
【請求項７】
案内装置を一対の相互作用コード８５、８６で構成し、このうち固定ボックス４０の第１端部に密接固定した第１コード８５はブラインド１８０のプリーツ１８１を介して可動ボックス６０まで走り、この可動ボックス６０第１内部横方向ローラ９４を回り、可動ボックス６０の第１端部に向きをかえ、可動ボックス６０の第２端部まで走り、第２横方向ローラ１２０を回り、フレーム体２０の下部部分２６に固定した下部ボックスであるボックス５０の第２端部に固定されるとともに、固定ボックス４０の第２端部に密接固定した第２コード８６はブラインド１８０のプリーツ１８１を介して可動ボックス６０まで走り、第３内部横方向ローラ９５を回り、可動ボックス６０の第２端部にむきをかえ、可動ボックス６０の第１端部まで走り、第４端部横方向ローラ１１９を回り、下部ボックス５０の第１端部に固定されるため、ブラインド１８０を開閉する可動ボックス６０が移動すると同時に、これが、固定ボックス４０へ可動ボックス６０を接続する二本のコード８５、８６の第１部分８５´、８６´の長さの変動を決定するとともに、下部固定ボックス５０へ可動ボックス６０を接続するコード８５、８６の第２部分８５´´、８６´´の同程度および逆の長さ変動を決定し、可動ボックス６０の移動を平行移動にした請求項１記載のブラインド開閉システム。
【請求項８】
ブラインドとして幅の広いブラインドを使用する場合、固定ボックス４０にもう一対のコード８７、８８を取り付け、可動ボックス６０に接合するこれらコード部分を、上記一対のコード８５、８６の部分に対して中間ローラ９７、９８が係合する中間位置とし、下部固定ボックス５０に接合するコード部分を上記一対のコード８５、８６を案内するローラと同じローラ１１９、１２０によって可動ボックス６０の端部に案内する請求項７記載のブラインド開閉システム。
【請求項９】
熱応力および機械的応力によって発生するコードの長さの変動を自動的に補償する弾性部材１４０〜１４３によってコード８５〜８８の端部を下部固定ボックス５０の一端および他端に固定した請求項７又は請求項８記載のブラインド開閉システム。
【請求項１０】
弾性部材１４０〜１４３がコイルばねであり、各コード８５〜８８の端部をコイルばね１４０〜１４３の内部を介してその独立端部に固定した請求項９記載のブラインド開閉システム。
【請求項１１】
コード８５〜８８を走らせるチャネル１３５〜１３７を形成した下部ボックス５０の両端内に係合できる部材１３３をもつヘッド１３０、１３１にコイルばね１４０〜１４３を配設した請求項１０記載のブラインド開閉システム。
【請求項１２】
フレーム体２０の四つの部材を管部材とし、これらのクロスカットをフレーム体２０の内側に向けて一定の平坦な側部を構成するようにし、そしてコーナー片３０の両端をヘッド３２とし、管部材２５〜２７の両端内部に圧入する弾性歯部材を設けた請求項１記載のブラインド開閉システム。
【請求項１３】
固定上部ボックス４０および固定下部ボックス５０の一定の横断面を正方形に近い“Ｕ”字形とするとともにその平坦な側面をフレーム体２０の上部部分２５および下部部分２６に向け、そして上記“Ｕ”字形の側面端部を反対方向に向いたフック状ベンド４１、５１とするとともに、フレーム体２０の上部部分２５および下部部分２６の平坦側面の長手方向両端を相互に対向するフック３８とし、これらフック３８の大きさおよび位置については、固定上部ボックス４０および固定下部ボックス５０のフック４１、５１をフレーム体２０の上部部分２５および下部部分２６のフック３８に係合することによって固定上部ボックス４０および固定下部ボックス５０をフレーム体２０の各部分２５〜２７に係合できるように構成した請求項１記載のブラインド開閉システム。
【請求項１４】
可動ボックス６０のクロスカットを一定の正方形に近いＵ字形とし、このクロスカットを横方向ダイヤフラム６８で構成し、内部チャネル７１および正方形に近いＵ字形開放チャネル７０を形成した請求項１記載のブラインド開閉システム。
【請求項１５】
フレーム体２０の側部部分２７の、ガラス挟持空間１０の内部に向いた平坦な側面の縁部に遮光タブ３６を形成した請求項１記載のブラインド開閉システム。
【請求項１６】
固定ボックス４０、５０の、ガラス挟持空間１０の外側に対応する平坦ベースの縁部に遮光タブ４５、５３を形成した請求項１、請求項６および請求項１２のいずれかに記載のブラインド開閉システム。
【請求項１７】
案内コード８５〜８８がその回りを走る内部ローラ９４、９５、９７、９８を、コード８５〜８８が走る溝１００〜１０３を形成した内部ヘッド９０、９１で支持するとともに、端部ローラ１１９、１２０を、コード８５〜８８が走る溝１２３〜１２５を形成したヘッド１１０、１１１によって支持し、可動ボックス６０内の、固定上部ボックス４０に向かって開放した長手方向チャネル７０に内部ヘッド９０、９１を挿入するとともに、開放チャネル７０および内部チャネル７１の両者に挿入した舌部１１６、１１７によって可動ボックス６０の端部に端部ヘッド１１０、１１１を取り付けた請求項６、請求項７および請求項１４のいずれかに記載のブラインド開閉システム。
【請求項１８】
ブラインドがプリーツ式ブラインドである請求項１記載のブラインド開閉システム。
【請求項１９】
ブラインド１８０に対向する平坦な背面において、固定上部ボックス４０に、一対の対向チャネル４６を形成する一対のリブ４５を形成し、開放チャネル７０の端部において、可動ボックス６０に対向チャネル６６を形成する一対のリブ６５を形成し、プリーツ式ブラインド１８０の端部１８２、１８３をそれぞれ一対の対向チャネル４６、６６に挿入することによってプリーツ式ブラインド１８０を取り付けた請求項１、請求項１４および請求項１８のいずれかに記載のブラインド開閉システム。
【請求項２０】
ブラインドがローラ式ブラインドである請求項１記載のブラインド開閉システム。
【請求項２１】
ブラインドがベネチアンブラインドである請求項１記載のブラインド開閉システム。
【発明の詳細な説明】
【技術分野】
【０００１】
本発明は、ガラス挟持空間内のブラインド用簡易式磁気開閉装置に関する。
【背景技術】
【０００２】
居住用建物の場合、一般の窓やフランス窓の窓ガラスから多量の熱が失われることはよく知られた事実であるが、このような熱の散逸は、窓ガラス間の気密な空間に二重の板ガラスをはめることによって大幅に抑制できる。ガラス挟持空間にベネチアンブラインドやプリーツ式ブラインドを始めとするブラインドを配設すると、気密性に干渉せずに外部から操作する必要があるため、問題が発生する。
【０００３】
窓ガラスの一つに作用する磁力線によって内外の動的機構を接続するために、各種の開閉装置が工夫され、応用されているが、このような装置はかなり複雑な上に、コストが高い。
【０００４】
装置が複雑になる主原因は、開閉時に、ブラインドの各構成部分を確実に平行に維持する必要がある点にある。内蔵電動機を使用すると、減速機構が必要なため、コストがかなり高くなる。
【０００５】
コードなどを利用して外部から純粋に機械的操作することも可能であるが、磁力によって接続した内外の機構間にすべりが発生するため、問題が発生する。
【発明の開示】
【発明が解決しようとする課題】
【０００６】
以下に詳しく説明するように、本発明は、簡単で、コストの低い手段からなる独創的な解決策を利用して、上記の問題を解決し、磁気接続によってブラインドの内外の開閉動作をスムーズにするものである。
【課題を解決するための手段】
【０００７】
本発明は、二枚の窓ガラスと、そして四つのコーナー片によって端部で結合した上部部分、下部部分および二つの側部部分からなるフレーム体とを有するガラス挟持空間内のブラインドを開閉するシステムに関する。
フレーム体の上部部分に固定した、上部ボックスである固定ボックスにブラインドの可動の一端を保持し、一方の窓ガラスに作用する引っ張り駆動装置および案内装置によって移動する可動ボックスに他端を保持し、ブラインドの開閉時に可動ボックスを並進させる。この開閉操作は、ガラス挟持空間のどこにおいても実施できる。
【０００８】
可動ボックスを引っ張り駆動する装置が、磁気吸引力を発生できる一対の手段を有し、そのうちの第１手段を可動ボックスに固定し、第２手段を独立ノブで構成する。可動ボックスに固定した第１手段に対してノブを係合できるようにするとともに、可動ボックスを手動で移動することによって、必要に応じて、ブラインドを開閉できるように構成する。
【０００９】
可動ボックスに固定した第１手段を、可動ボックスの中心長手方向に挿入した小型の平行四辺形ボックスで構成し、長手方向ピンを用いて、この小型のボックスのケージ内において、二組の独立ローラ間でかつ長さ方向に一つ以上の永久磁石を並設する。
そして永久磁石の外面を通る幾何学的平面および可動ボックスの正面から長手方向ピンをわずかに突出させ、第１手段のガラス窓上のスライドを容易にする。
【００１０】
上記各組において二つの平行ローラを使用し、これらローラの表面をわずかにアーチ形に構成し、窓ガラスとの接触長さをごく短くするのが好ましい。
【００１１】
第２手段を構成するノブの形状を実質的に平行四辺形にし、ノブ内長手方向に一つかそれ以上の永久磁石を並設し、これら永久磁石の磁極を第１手段の永久磁石に対して逆磁極にし、これら逆磁極をテフロン（登録商標）、ベルクロなどの薄い層で被覆し、磁石の窓ガラス上のスライドを容易にする。
【００１２】
第１手段の底部およびノブの底部に金属板を取り付け、永久磁石を所定位置に保持する。
【００１３】
案内装置を一対の相互作用コードで構成する。
このうち固定ボックスの第１端部に密接固定した第１コードはブラインドを介して可動ボックスまで走り、この可動ボックスから第１内部横方向ローラを回り、可動ボックスの第１端部に向きをかえ、可動ボックスの第２端部まで走り、第２横方向ローラを回り、フレーム体の下部部分に固定した下部ボックスであるボックスの第２端部に固定される。
また、固定ボックスの第２端部に密接固定した第２コードはブラインドを介して可動ボックスまで走り、第３内部横方向ローラを回り、可動ボックスの第２端部に向きをかえ、可動ボックスの第１端部まで走り、第４端部横方向ローラを回り、下部ボックスの第１端部に固定される。
従って、ブラインドを開閉する可動ボックスが移動すると同時に、これが、固定ボックスへ可動ボックスを接続する二本のコードの第１部分の長さの変動を決定するとともに、下部固定ボックスへ可動ボックスを接続するコードの第２部分の同程度および逆の長さ変動を決定する。
このため、可動ボックスの移動を平行移動にできる。
【００１４】
ブラインドとして幅の広いブラインドを使用する場合、固定ボックスにもう一対のコードを取り付ける。
可動ボックスに接合するこれらコード部分を、最初の一対のコードの部分に対して中間ローラが係合する中間位置とし、中間ローラで案内する。
また、下部固定ボックスに接合するコード部分を上記一対のコードを案内するローラと同じローラによって可動ボックスの端部に案内する。
【００１５】
熱応力および機械的応力によって発生するコードの長さの変動を自動的に補償する弾性部材によってコードの端部を下部固定ボックス各端部に固定する。
【００１６】
弾性部材としてコイルばねを使用するのが好ましく、コードが走る溝を形成した下部ボックスの両端に固定したヘッドにコイルばねを配設する。
また、各コードの一端がコイルばねの内側を走り、これをばねの一端に固定する。
【００１７】
フレーム体の四つの部材を管部材とし、各横断面を一定にする。
フレーム体の内側に対向する各管の側面を平坦にする。
そしてコーナー片の両端に、管部材の両端内部に圧入する弾性歯部材を設ける。
【００１８】
固定上部ボックスおよび固定下部ボックスの横断面を正方形に近い“Ｕ”字形とするとともにその平坦な側面をフレーム体の上部部分５および下部部分に向ける。
そして上記“Ｕ”字形の側面端部を反対方向に向いたフック状ベンドとするとともに、フレーム体の上部部分および下部部分の平坦側面の長手方向両端を相互に対向するフックとする。
これらフックの大きさおよび位置については、固定上部ボックスおよび固定下部ボックスのフックをフレーム体の上部部分および下部部分のフックに係合することによって固定上部ボックスおよび固定下部ボックスをフレーム体の各部分に係合できるように構成する。
【００１９】
可動ボックスのクロスカットを一定の正方形に近いＵ字形とし、このクロスカットを横方向ダイヤフラムで構成し、内部チャネルおよび正方形に近いＵ字形開放チャネルをブラインドに向けて解放して形成する。
【００２０】
フレーム体の側部部分の、ガラス挟持空間１０の内部に向いた平坦な側面の縁部に遮光タブを形成する。
【００２１】
固定ボックスの、ガラス挟持空間１０の外側に対応する平坦ベースの縁部に遮光タブを形成する。
【００２２】
案内コードがその回りを走る可動ボックスの内部ローラを、上部固定ボックスに向かって開放したチャネル内部に係合した内部ヘッドが支持するのが好ましい。
また、端部ローラを、開放チャネルおよび内部チャネルの両者に挿入した舌部によって可動ボックスの端部に設けた端部ヘッドによって支持する。
【００２３】
コードは、これらヘッドすべてに形成した溝を走るようになっている。
【００２４】
本発明の一実施態様では、ブラインドがプリーツ式ブラインドである。この場合、ブラインドに対向する平坦な背面において、固定上部ボックスに、一対の対向チャネルを形成する一対のリブを形成する。
また、開放チャネルの端部においても、可動ボックスに対向チャネルを形成する一対のリブを形成する。
プリーツ式ブラインドの端部をそれぞれ一対の上部固定ボックスと可動ボックスの両方の対向チャネルに挿入することによってプリーツ式ブラインドを取り付ける。
【００２５】
ブラインドとしてはベネチアン式ブラインド、ローラ式ブラインドなど任意のブラインドを使用することができる。本発明は、明確な効果を有する。
【００２６】
このように、引っ張り装置と案内装置とを連動させることによって、ガラス挟持空間の一方の窓ガラスを介してブラインドを開閉することができ、コストが低く、操作が安全かつ容易な手段によってブラインドを開閉することができる。
また、案内装置によって、機械的装置の並進移動という問題を解決できる。
コードを使用して並進を行うが、距離をおいてこれを実施できるため、ブラインドなどの並進を対象とする対象物の大きさに制限はない。
また、コードは直線状である必要はなく、現在利用されている複雑な上に嵩張る機械的平行四辺形システムの十分な代替システムとなりうるものである。
上記の並進操作のため、ブラインドを固定する可動ボックスの任意の点でのみ使用が限られているきわめて簡単で安全な引っ張り装置を採用することが可能になり、現在利用されている引っ張り／案内装置の問題をすべて解決できる。
さらに、磁気接続を利用しているため、ガラス挟持空間の気密性に悪影響を与えることなく、ブラインドを直接手動で開閉できる。
以上のように、本発明は、コストが低く、簡単な上に信頼性があり、使用しやすいガラス挟持空間用のカーテンを提供するものである。
【発明を実施するための最良の形態】
【００２７】
以下、添付図面について本発明の実施態様を説明するが、これら実施態様から本発明の特徴、目的および作用効果を理解できるはずである。
【００２８】
ガラス挟持空間１０は構造体１５と、窓ガラス１７、１８とで構成する。この構造体１５は、コーナー片３０によって保持した管部材である上部部材２５、下部部材２６および側部部材２７からなるフレーム体２０で構成する。各管部材２５〜２７のクロスカットは、台形トップと、そして矩形基部からなる。各コーナー片３０は、コーナー継手３１と、それぞれが弾性的な内向き傾斜歯部材３３をもつ端部ヘッド３２とで構成する。
【００２９】
各端部ヘッド３２のクロスカットは、各管部材の台形トップのクロスカットに対応し、傾斜歯部材は、各管部材のクロスカットの矩形ベースに対応する。
【００３０】
四つの管部材２５−２７の端部にコーナー片３０のヘッド３２を圧入することによってこれらを組み立て保持する。傾斜歯部材３３の傾斜歯が発生する応力は、組み立て構造体を固持するのに十分な応力である。
【００３１】
ガラス保持体１０用構造体１５は、Ｕ字形のクロスカットをもつ上部ボックス４０と下部ボックス５０とで構成し、各端部を折り返し、それぞれ外向きフック４１、５１を形成する。管部材２５、２６の平坦なベースの端部が、内向きフック３８をもつ二つのリブになる。
【００３２】
従って、図８および図５に示すように管部材２５および２６に上記ボックス４０および５０をスナップ嵌めできる。図８は、ボックス５０のフック５１が管部材２６のフック３８に係合している状態を示す。
【００３３】
図５の場合は、ボックス４０のフック４１は、管部材２５のフックに既に係合している。これらボックス４０および５０は、それぞれ遮光タブ４３および５３をもち、同様に管部材２７は遮光タブ３６をもつ。
【００３４】
プリーツ式ブラインド１８０の場合は、その上端１８２をリブ４５が形成する対向溝４６内に挿入して上部固定ボックス４０（図５）上に係合し、その下端１８３をリブ６５が形成する対向溝６６に挿入して可動ボックス５０（図６）上に係合する。
【００３５】
コード８５および８６からなる案内装置（図１、図３および図９）によって、下部固定ブラインド案内ボックス５０が案内する上部固定ボックス４０上に可動ボックス６０（図６）を係合する。
【００３６】
ノット８０などによって上部ボックス４０に上記コード８５および８６の上端を固定する。
【００３７】
図９にＥおよびＦで示すように、下部固定ブラインド案内ボックス５０の両端にそれぞれ挿入したヘッド１３０、１３１によって支持したコイルばね１４０および１４１に上記コードの下端を固定すると、コーナー部に形成したチャネル１３５内をスライドできる。
【００３８】
図９の場合、上部ボックス４０、下部ボックス５０および可動ボックス６０は、一点鎖線（４０）、（５０）、（６０）によって図示してある。
【００３９】
ヘッド１３０および１３１については、リブ５９によって区切られたボックス５０の上部５８に従う形状の傾斜歯部材１３３によってボックス５０の端部に挿入する（図８）。
【００４０】
コード８５および８６については、内部ヘッド９０、９１のピン９６と係合するローラ９４および９５によって、そして端部ヘッド１１０および１１１のピン１２１と係合するローラ１１９および１２０によって可動ボックス６０内部に案内する（図９、Ａ〜Ｄを参照）。
【００４１】
内部ヘッド９０、９１については、ダイヤフラム６８によって可動ボックス６０内に形成したチャネル７０（図６）に挿入する。
【００４２】
端部ヘッド１１０および１１１については、上記ダイヤフラム６８（図６）が形成するチャネル７０および７１それぞれの端部内部に二対のタブ１１６および１１７（図９、Ｄを参照）を挿入することによって上記ボックス６０の端部に取り付ける。
【００４３】
コード８５および８６は、内部ヘッド９０および９１のそれぞれの溝１００および１０１内をスライドする。
【００４４】
また、コード８５および８６は、端部ヘッド１１０および１１１の溝１２３内をスライドする。
【００４５】
熱応力および機械的応力によってコード８５、８６の長さが変化した場合には、ばね１４０および１４１がこれを自動的に補償する。
【００４６】
小形の磁石ボックス１５０（図４）とノブ１７０（図１および図２）が、ボックス６０を移動させる装置として作用し、ブラインド１８０を開閉する。
【００４７】
この磁石ボックス１５０については、端部にブロック体１５７を設けたケージ１５５で構成し、二つの永久磁石１５２および１５３をこのケージ内に並設し、内部金属板１５４によって所定位置に保持する。
【００４８】
上記ブロック体１５７は、スロット１５８内でピン１６１を中心して自由に回動する円形表面で四つのローラ１６０を保持する。
【００４９】
これらローラ１６０は、永久磁石１５２、１５３から外側にわずかに突き出し、これら磁石もボックス６０の正面から突き出る。
【００５０】
ノブ１７０は、凹状体１７１として構成し、ここに永久磁石１７２、１７３を並設し、内部金属板およびリング１７５によって所定位置に保持する（図１および図２）。
【００５１】
テフロン（登録商標）やその他のすべり作用をもつ材料からなる薄い層１７７をこれら永久磁石の外面に設ける。
【００５２】
以上の各構成部材を上記のように配設した状態で、小形の磁石ボックス１５０の位置まで窓ガラス１８上をノブ１７０を移動させると、永久磁石の１７２、１７３の磁極が磁気ボックスの永久磁石１５２、１５３の磁極と逆であるため、ブラインド１８０とノブ１７０とが磁気接続する。
【００５３】
小形の磁石ボックス１５０のローラ１６０が窓ガラス１８に接触するため、ブラインド１８０の下端におけるボックス６０の作動が容易になり、ブラインドを開閉する。
【００５４】
図９から理解できるように、固定ボックス４０の第１端部に密接したコード８５がブラインド１８０を可動ボックス６０まで直交貫通し、これから可動ボックス６０の第１端部に密接した内部ヘッド９０のローラ９４の下に走り、可動ボックス６０の第２端部まで延長し、さらに端部ヘッド１１１のローラ１２０を介して、固定ボックス５０の第２端部まで直交延長し、端部ヘッド１３１のチャネル１３５を横断して、ばね１４１に取り付けられる。
【００５５】
固定ボックス４０の第２端部に密接したコード８５がブラインド１８０を可動ボックス６０まで直交貫通し、これから可動ボックス６０の第２端部に密接した内部ヘッド９１のローラ９５の下に走り、可動ボックス６０の第１端部まで延長し、さらに端部ヘッド１１０のローラ１２０を介して、固定ボックス５０の第１端部まで直交延長し、端部ヘッド１３０に配設したばね１４０に取り付けられる。
【００５６】
ブラインド１８０を開閉するボックス６０の移動はノブ１７０によって決められるものであるが、この結果同時に、コードの最初の部分８５´および８６´の長さが変動するとともに、コード８５および８６の最終部分８５´´および８６´´の長さが同じ程度で逆に変動する。
【００５７】
つまり、一対のコード８５および８６を案内するさい、可動ボックス６０が移動した場合、その移動はいずれもそれ自体に対して平行である。
【００５８】
ブラインドの幅が大きい場合、四本のコード（図１０）を使用してこれを支持案内するが、この場合には、上記のコード８５および８６に加えて、図１０に示すように、ばね１４２および１４３に別なコード８７および８８を接続する。
【００５９】
コード８７、８８をスライドさせるために、ローラ９７および９８を備えたもう一対の内部ヘッドを使用する。
【００６０】
この結果、可動ボックス６０上の端部ヘッド１１０および１１内において、コード８５、８６が横溝１２４に移行した状態で、コード８７および８８が横溝１２５内をスライドする（図９、Ｃ、Ｄ）。
【００６１】
下部ボックス５０の端部ヘッド１３０、１３１内ではコード８５、８６が横溝１３７に移行した状態で、コード８７、８８が横溝１３６内をスライドする（図９、Ｅ、Ｆ）．
【００６２】
いうまでもなく、上記一対のコード８７、８８が、一対のコード８５、８６と同じように機能する。
【図面の簡単な説明】
【００６３】
【図１】フレーム体、ダブルコード式によって案内するブラインド、ブラインドの固定上部ボックスおよび可動下部ボックス、小型の磁石ボックス、固定下部ブラインド案内ボックスおよびノブをもつガラス挟持空間の構造を示す図である。
【図２】ノブの展開図である。
【図３】図１の構造を示す展開斜視図である。
【図４】小型の磁石ボックスを示す展開斜視図である。
【図５】ブラインドの上部固定ボックスの細部を示す斜視図である。
【図６】小型の磁石ボックスに位置にある可動ボックスの細部を示す斜視図である。
【図７】固定下部ブラインド案内ボックスの端部の細部を示す斜視図である。
【図８】フレーム体の下部部分および固定下部ブラインド案内ボックスの構造細部を示す図である。
【図９】補償ばねを使用したダブルコード式ブラインド案内システムを示す図であり、Ａ〜Ｆは二本のコードを案内し、保持するヘッドの細部を示す。
【図１０】四本のコードを使用したブラインド案内システムを示す図である。
【符号の説明】
【００６４】
１０：ガラス挟持空間、
１７、１８：窓ガラス、
２０：フレーム体、
２５：上部部分、
２６：下部部分、
２７：側部部分、
３０：コーナー片、
４０：固定ボックス、
８５〜８８：案内装置、
１５０、１７０：引っ張り装置、
１８０：ブラインド。
【図１】
2005530073.tif 000003
【図２】
2005530073.tif 000004
【図３】
2005530073.tif 000005
【図４】
2005530073.tif 000006
【図５】
2005530073.tif 000007
【図６】
2005530073.tif 000008
【図７】
2005530073.tif 000009
【図８】
2005530073.tif 000010
【図９】
2005530073.tif 000011
【図１０】
2005530073.tif 000012
【国際調査報告】
2005530073.tif 000013
2005530073.tif 000014
2005530073.tif 000015